【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
データ処理装置と通信可能な印刷装置であって、
データ処理装置から印刷要求と当該データ処理装置の設置位置に関する第１情報とを受信する受信手段と、
前記データ処理装置の設置位置に関する第２情報を記憶する記憶手段と、
前記受信手段が受信した前記第１情報が前記記憶手段に記憶されている前記第２情報と異なるか否かを判別する判別手段と、
前記判別手段が前記第１情報と前記第２情報とが異なると判別した場合、前記判別手段による判別結果に基づく情報を前記データ処理装置へ通知する通知手段と、
を備えることを特徴とする印刷装置。
【請求項２】
前記印刷装置は更に他の印刷装置と通信可能であり、
更に、前記判別手段が前記第１情報と前記第２情報とが一致しないと判別した場合、前記他の印刷装置に記憶されている前記他の印刷装置の設置位置に関する情報を取得する取得手段を備え、
前記通知手段は、前記取得手段により取得された前記他の印刷装置の設置位置に関する情報を前記印刷要求の要求元であるデータ処理装置に通知することを特徴とする請求項１記載の印刷装置。
【請求項３】
前記印刷要求の送信元のデータ処理装置からの指示に基づいて、前記記憶手段に記憶されている当該データ処理装置の設置位置に関する第２情報を削除する削除手段を有することを特徴とする請求項１または２記載の印刷装置。
【請求項４】
データ処理装置と通信可能な印刷装置であって、
前記印刷装置の設置位置に関する情報を記憶し、前記設置位置に関する情報が変更されたことを示す変更情報を記憶することが可能な記憶手段と、
前記データ処理装置から印刷要求を受信する受信手段と、
前記記憶手段が前記変更情報を記憶している状態で前記受信手段がデータ処理装置から第１印刷要求を受信した場合に、前記印刷装置の設置位置に関する情報が変更された後に前記データ処理装置から前記第１印刷要求以外の印刷要求を受信したことがあるか否かを判別する判別手段と、
前記判別手段が前記印刷装置の設置位置に関する情報が変更された後に前記データ処理装置から前記第１印刷要求以外の印刷要求を受信したことがないと判別した場合、前記データ処理装置に前記判別手段による判別結果に基づく情報を通知する通知手段と、
を有することを特徴とする印刷装置。
【請求項５】
印刷装置と通信可能なデータ処理装置であって、
前記印刷装置に印刷要求を送信する場合に、前記印刷装置から当該印刷装置の設置位置に関する第１情報を取得する取得手段と、
前記印刷装置の設置位置に関する第２情報を記憶する記憶手段と、
前記取得手段が取得した前記第１情報が前記記憶手段に記憶されている前記第２情報と異なるか否かを判別する判別手段と、
前記判別手段が前記第１情報と前記第２情報とが異なると判別した場合、前記判別手段による判別結果に基づく情報を前記データ処理装置のユーザへ通知する通知手段と、
を備えることを特徴とするデータ処理装置。
【請求項６】
データ処理装置と通信可能な印刷装置における印刷制御方法であって、
データ処理装置から印刷要求と当該データ処理装置の設置位置に関する第１情報とを受信する受信工程と、
前記受信工程で受信した前記第１情報が、前記データ処理装置の設置位置に関する第２情報を記憶する記憶手段に記憶されている前記第２情報と異なるか否かを判別する判別工程と、
前記判別工程において前記第１情報と前記第２情報とが異なると判別された場合、前記判別工程における判別結果に基づく情報を前記データ処理装置へ通知する通知工程と、
を含むことを特徴とする印刷制御方法。
【請求項７】
データ処理装置と通信可能な印刷装置であり、前記印刷装置の設置位置に関する情報を記憶し、前記設置位置に関する情報が変更されたことを示す変更情報を記憶することが可能な記憶手段を備える印刷装置における印刷制御方法であって、
前記データ処理装置から印刷要求を受信する受信工程と、
前記記憶手段が前記変更情報を記憶している状態で前記受信工程においてデータ処理装置から第１印刷要求を受信した場合に、前記印刷装置の設置位置に関する情報が変更された後に前記データ処理装置から前記第１印刷要求以外の印刷要求を受信したことがあるか否かを判別する判別工程と、
前記判別工程において前記印刷装置の設置位置に関する情報が変更された後に前記データ処理装置から前記第１印刷要求以外の印刷要求を受信したことがないと判別された場合、前記データ処理装置に前記判別工程における判別結果に基づく情報を通知する通知工程と、
を含むことを特徴とする印刷制御方法。
【請求項８】
印刷装置と通信可能なデータ処理装置の印刷制御方法であって、
前記印刷装置に印刷要求を送信する場合に、前記印刷装置から当該印刷装置の設置位置に関する第１情報を取得する取得工程と、
前記取得工程で取得した前記第１情報が、前記印刷装置の設置位置に関する第２情報を記憶する記憶手段に記憶されている前記第２情報と異なるか否かを判別する判別工程と、
前記判別工程において前記第１情報と前記第２情報とが異なると判別された場合、前記判別工程における判別結果に基づく情報を前記データ処理装置のユーザへ通知する通知工程と、
を含むことを特徴とする印刷制御方法。
【請求項９】
請求項６〜８のいずれか１項に記載の印刷制御方法をコンピュータに実行させることを特徴とするプログラム。
【手続補正２】
【補正対象書類名】明細書
【補正対象項目名】発明の名称
【補正方法】変更
【補正の内容】
【発明の名称】印刷装置、データ処理装置、印刷制御方法、プログラム
【手続補正３】
【補正対象書類名】明細書
【補正対象項目名】００１０
【補正方法】変更
【補正の内容】
【００１０】
データ処理装置と通信可能な印刷装置であって、データ処理装置から印刷要求と当該データ処理装置の設置位置に関する第１情報とを受信する受信手段と、前記データ処理装置の設置位置に関する第２情報を記憶する記憶手段と、前記受信手段が受信した前記第１情報が前記記憶手段に記憶されている前記第２情報と異なるか否かを判別する判別手段と、前記判別手段が前記第１情報と前記第２情報とが異なると判別した場合、前記判別手段による判別結果に基づく情報を前記データ処理装置へ通知する通知手段とを備えることを特徴とする。
また、データ処理装置と通信可能な印刷装置であって、前記印刷装置の設置位置に関する情報を記憶し、前記設置位置に関する情報が変更されたことを示す変更情報を記憶することが可能な記憶手段と、前記データ処理装置から印刷要求を受信する受信手段と、前記記憶手段が前記変更情報を記憶している状態で前記受信手段がデータ処理装置から第１印刷要求を受信した場合に、前記印刷装置の設置位置に関する情報が変更された後に前記データ処理装置から前記第１印刷要求以外の印刷要求を受信したことがあるか否かを判別する判別手段と、前記判別手段が前記印刷装置の設置位置に関する情報が変更された後に前記データ処理装置から前記第１印刷要求以外の印刷要求を受信したことがないと判別した場合、前記データ処理装置に前記判別手段による判別結果に基づく情報を通知する通知手段とを有することを特徴とする。
【手続補正４】
【補正対象書類名】明細書
【補正対象項目名】００１２
【補正方法】変更
【補正の内容】
【００１２】
印刷装置と通信可能なデータ処理装置であって、前記印刷装置に印刷要求を送信する場合に、前記印刷装置から当該印刷装置の設置位置に関する第１情報を取得する取得手段と、前記印刷装置の設置位置に関する第２情報を記憶する記憶手段と、前記取得手段が取得した前記第１情報が前記記憶手段に記憶されている前記第２情報と異なるか否かを判別する判別手段と、前記判別手段が前記第１情報と前記第２情報とが異なると判別した場合、前記判別手段による判別結果に基づく情報を前記データ処理装置のユーザへ通知する通知手段とを備えることを特徴とする。
【手続補正５】
【補正対象書類名】明細書
【補正対象項目名】００１４
【補正方法】変更
【補正の内容】
【００１４】
データ処理装置と通信可能な印刷装置における印刷制御方法であって、データ処理装置から印刷要求と当該データ処理装置の設置位置に関する第１情報とを受信する受信工程と、前記受信工程で受信した前記第１情報が、前記データ処理装置の設置位置に関する第２情報を記憶する記憶手段に記憶されている前記第２情報と異なるか否かを判別する判別工程と、前記判別工程において前記第１情報と前記第２情報とが異なると判別された場合、前記判別工程における判別結果に基づく情報を前記データ処理装置へ通知する通知工程とを含むことを特徴とする。
また、データ処理装置と通信可能な印刷装置であり、前記印刷装置の設置位置に関する情報を記憶し、前記設置位置に関する情報が変更されたことを示す変更情報を記憶することが可能な記憶手段を備える印刷装置における印刷制御方法であって、前記データ処理装置から印刷要求を受信する受信工程と、前記記憶手段が前記変更情報を記憶している状態で前記受信工程においてデータ処理装置から第１印刷要求を受信した場合に、前記印刷装置の設置位置に関する情報が変更された後に前記データ処理装置から前記第１印刷要求以外の印刷要求を受信したことがあるか否かを判別する判別工程と、前記判別工程において前記印刷装置の設置位置に関する情報が変更された後に前記データ処理装置から前記第１印刷要求以外の印刷要求を受信したことがないと判別された場合、前記データ処理装置に前記判別工程における判別結果に基づく情報を通知する通知工程とを含むことを特徴とする。
【手続補正６】
【補正対象書類名】明細書
【補正対象項目名】００１５
【補正方法】変更
【補正の内容】
【００１５】
また、印刷装置と通信可能なデータ処理装置の印刷制御方法であって、前記印刷装置に印刷要求を送信する場合に、前記印刷装置から当該印刷装置の設置位置に関する第１情報を取得する取得工程と、前記取得工程で取得した前記第１情報が、前記印刷装置の設置位置に関する第２情報を記憶する記憶手段に記憶されている前記第２情報と異なるか否かを判別する判別工程と、前記判別工程において前記第１情報と前記第２情報とが異なると判別された場合、前記判別工程における判別結果に基づく情報を前記データ処理装置のユーザへ通知する通知工程とを含むことを特徴とする。